(57)【要約】      （修正有）【課題】分解に便利な、組み立て式竹製収納装置を提供する。【解決手段】組み立て式竹製収納装置は、第一側板１、第二側板１Ａ、底板２、門構え竹フレーム３、複数の第二竹棒４と複数の鞘棒５と、からなり、これらの素子を収納装置に組み立てる。第一側板と第二側板は、枠、及び、複数の第一竹棒１２からなる。底板は、第一、第二側板の底部間に組み合わされる。門構え竹フレームの両側直部は、第一、第二側板の適当な高度に組み合わされる。第二竹棒が、第一、第二側板両側の間に接続される。第二竹棒、側直部、及び、底板両側に設置された側竹棒２１は、垂直に貫通し、且つ、対応する洞孔４２を有し、鞘棒が洞孔を垂直に穿過して固定する。【選択図】図１
0003146821.tif 000002
【実用新案登録請求の範囲】
【請求項１】
組み立て式竹製収納装置であって、
封閉した枠を有し、前記枠の対称な両外側の一高度に、それぞれ、外ノッチを有し、前記枠両側の間の底端の棒一側は凹槽を設置し、前記棒上方の前記枠両側の間に、複数の第一竹棒を設置し、前記凹槽と相同の方向の枠両側は複数の鞘孔を有し、前記鞘孔と相同の方向の枠両側底端は、それぞれ、鞘槽を設置する第一側板と、
封閉した枠を有し、前記枠の対称両内側は、前記第一側板の外ノッチの高度位置に対応して、それぞれ、内ノッチを設置し、前記枠両側の間の底端の棒一側は、凹槽を設置し、且つ、前記棒上方の枠両側の間は、複数の第一竹棒を有し、前記凹槽と相同の方向の枠両側は、複数の鞘孔を有し、前記鞘孔と相同の方向の枠両側底端は、それぞれ、鞘槽を設置する第二側板と、
対称両側は、それぞれ、竹棒を設置し、前記竹棒両側は、それぞれ、前記第一側板、及び、前記第二側板の鞘槽と接続する鞘頭を設置し、且つ、前記竹棒は、少なくとも一つの垂直に貫通する洞孔を有し、別の相対する両端は、前記棒の凹槽に対応し、互いに組み合わされる底板と、
竹材で、両側直部、及び、前記両側直部一端に連接されるグリップを一体成型し、前記両側直部の端部は、前記第二側板の両内ノッチに適合する鞘頭を設置し、前記両側直部の内側は、前記第一側板の両外ノッチに適合する楔形ノッチを設置し、前記両側直部は、少なくとも垂直に貫通する洞孔を有する門構え竹フレームと、
両端が、それぞれ、前記第一側板、及び、前記第二側板の鞘孔と接続する鞘頭を設置し、少なくとも一つの垂直に貫通する洞孔を有する複数の第二竹棒と、
前記第二竹棒の洞孔、前記側直部の洞孔と前記竹棒を垂直方向に配列し、前記洞孔を穿過して固定する複数の鞘棒と、
からなることを特徴とする組み立て式竹製収納装置。
【請求項２】
前記門構え竹フレームの両側直部上方の全ての第二竹棒は、それぞれ、両板素子により代替され、且つ、前記板素子は、少なくとも一つが、上側辺から垂直に下側辺の洞孔を貫通し、及び、前記板素子の両垂直辺は鞘棒を設置し、前記鞘棒が、前記板素子、前記側直部、及び、前記側竹棒上の洞孔を穿過して、固定され、前記第一側板と前記第二側板の側辺はスロットにより、複数の鞘孔を代替し、前記板素子の鞘棒を前記スロットに挿入することができることを特徴とする請求項１に記載の組み立て式竹製収納装置。
【考案の詳細な説明】
【技術分野】
【０００１】
本考案は、分解に便利な組み立て式竹製収納装置に関するものである。
【背景技術】
【０００２】
一般に、収納箱や収納棚を製造する材料は、木材、プラスチックなどいろいろある。収納装置は、実用功能を有する以外に、緻密で、優美な外観を有し、竹材や木材で製造した収納装置は素朴な印象があるので、特に、欧米人に人気がある。現在、竹材を利用した収納棚は、多くが、編織方式で板材を構成し、それを組み立てるが、板体は撓性を有するので、剛性が求められる物品へは適用できない。この他、公知の竹製の収納装置は、消費者が自身で組み立てる設計である。
【考案の開示】
【考案が解決しようとする課題】
【０００３】
本考案の目的は、組み立て式竹製収納装置を提供し、上述の問題を改善することにある。
【課題を解決するための手段】
【０００４】
本考案の組み立て式竹製収納装置は、第一側板、第二側板、底板、門構え竹フレーム、複数の第二竹棒と複数の鞘棒と、からなり、これらの素子を収納装置に組み立てる。
【０００５】
第一側板と第二側板は、枠、及び、第一竹棒からなる。底板は、第一、第二側板の底部間に組み合わされる。門構え竹フレームの両側直部は、第一、第二側板の適当な高度に組み合わされる。第二竹棒が、第一、第二側板両側の間に接続される。第二竹棒、側直部、及び、底板両側に設置された側竹棒は、垂直に貫通し、且つ、対応する洞孔を有し、鞘棒が洞孔を垂直に穿過して固定する。この他、門構え竹フレームの両側直部上方の全ての第二竹棒は、それぞれ、両板素子により代替でき、鞘棒を板素子、側直部、及び、側竹棒上の洞孔に穿過して固定する。
【考案の効果】
【０００６】
本考案の組み立て式竹製収納装置により、強度が強化され、組み立てが容易である。
【考案を実施するための最良の形態】
【０００７】
図１は、本考案の組み立て式竹製収納装置の好ましい実施例を示す図で、第一側板１、第二側板１A、底板２、門構え竹フレーム３、複数の第二竹棒４と複数の鞘棒５と、からなる。
【０００８】
第一側板１は、封閉した枠１１を有し、枠１１の対称な両外側の一高度に、それぞれ、外ノッチ１１１を有する。枠１１両側の間の底端の棒１３一側は凹槽１３１を設置し、棒１３上方の枠１１両側の間に、複数の第一竹棒１２を設置し、凹槽１３１と相同の方向の枠１１両側は複数の鞘孔１１３を有し、鞘孔１１３と相同の方向の枠１１両側底端は、それぞれ、鞘槽１４を設置する。
【０００９】
第二側板１Aは大部分が第一側板１と相同の構造であり、封閉した枠１１を有し、枠１１の対称両内側は、第一側板１の外ノッチ１１１の高度位置に対応して、それぞれ、内ノッチ１１２を設置し、枠１１両側の間の底端の棒１３一側は、凹槽１３１を設置し、且つ、棒１３上方の枠１１両側の間は、複数の第一竹棒を有し、凹槽１３１と相同の方向の枠１１両側は、複数の鞘孔１１３を有し、鞘孔１１３と相同の方向の枠１１両側底端は、それぞれ、鞘槽１４を設置する。
【００１０】
底板２の対称両側は、それぞれ、側竹棒２１を設置し、側竹棒２１両側は、それぞれ、第一側板１、及び、第二側板１Aの鞘槽１４と接続する鞘頭２１１を設置し、且つ、側竹棒２１は、少なくとも一つの垂直に貫通する洞孔２１２を有し、底板２の別の相対する両端は、棒１３の凹槽１３１に対応し、互いに組み合わされる。
【００１１】
門構え竹フレーム３は、竹材で、両側直部３１、及び、両側直部３１一端に連接されるグリップ３２を一体成型し、両側直部３１の端部は、第二側板１Aの両内ノッチ１１２に適合する鞘頭３１２を設置し、両側直部３１の内側は、第一側板１の両外ノッチ１１１に適合する楔形ノッチ３１３を設置し、両側直部３１は、少なくとも垂直に貫通する洞孔３１１を有する。
【００１２】
第二竹棒４の両端は、それぞれ、第一側板１、及び、第二側板A１の鞘孔１１３と接続する鞘頭４１を設置し、第二竹棒４は、少なくとも一つの垂直に貫通する洞孔４２を有する。
【００１３】
鞘棒５の外径は、第二竹棒４の洞孔４２、側直部３１の洞孔３１１と側竹棒２１上の洞孔２１２を穿過すると共に、固定される。
【００１４】
本考案は、前述の素子を収納装置に組み立て、まず、図１と図２で示されるように、底板２の両端辺は、それぞれ、第一側板１、及び、第二側板１A下方の凹槽１３１に挿入され、側竹棒２１両端の鞘頭２１１をそれぞれ、第一側板１と第二側板１A下方の鞘槽１４に挿入する。その後、門構え竹フレーム３の両側直部３１を、第一側板１の両外ノッチ１１１に沿って穿過し、楔形ノッチ３１３が外ノッチ１１１に嵌合する。同時に、側直部３１端部の鞘頭３１２が、第二側板１Aの内ノッチ１１２に適合して固定される（図３で示される）。その後、これらの第二竹板４両端の鞘頭４１を第一側板１と第二側板１Aの各鞘孔１１３に挿入して、各第一側板１と第二側板１Aの間の両側が、底板２両側の側竹棒２１、門構え竹フレーム３の側直部３１と第二竹棒４を垂直方向に配列させ、最後に、鞘棒５が、第二竹棒４の洞孔４２、側直部３１上の洞孔３１１と側竹棒２１上の洞孔２１２を穿過して、第二竹棒４、側直部３１と側竹棒２１が固定されて、剛性を強化し、本考案の収納装置を構成する（図４で示される）。
【００１５】
図５は、本考案の収納装置に層架６を組み合わせて構成した引き出し式収納箱を示す図である。
【００１６】
図６は、本考案のもう一つの実施例を示す図で、門構え竹フレーム３の両側直部３１上方の全ての第二竹棒４は、それぞれ、両板素子７により代替され、且つ、板素子７の両垂直辺は鞘棒７１を設置し、第一側板１と第二側板１Aの枠１１両側はスロット１５により、第一実施例の複数の鞘孔１１３を代替し、板素子７の鞘棒７１を第一側板１と第二側板１Aのスロット１５に挿入して、更に、鞘棒５を板素子７、側直部３１、及び、側竹棒２１上の洞孔７２、３１１と２１２に穿過して、もう一つの収納装置を構成する（図７で示される）。
【図面の簡単な説明】
【００１７】
【図１】本考案の素子の立体図である。
【図２】本考案の第一側板と第二側板を底板に組み合わせ、更に、門構え竹フレームを組み合わせる実施例の立体図である。
【図３】図２の門構え竹フレームを第一、第二側板に組み合わせた後、更に、第二竹棒と鞘棒を組み合わせる実施例の立体図である。
【図４】図３の素子組み合わせ後の収納装置を示す図である。
【図５】本考案の収納装置に層架を組み合わせて、引き出し式収納箱を構成する実施例の立体図である。
【図６】本考案の図３に基づく構造で、両板素子でそれぞれ門構え竹フレーム上方両側の各第二竹棒を代替するもう一つの実施例の立体図である。
【図７】図６の素子組み合わせ後の実施例の立体図である。
【符号の説明】
【００１８】
第一側板１
第二側板１A
底板２
門構え竹フレーム３
第二竹棒４
鞘棒５
封閉した枠１１
第一竹棒１２
棒１３
鞘槽１４
側竹棒２１
側直部３１
グリップ３２
鞘頭４１
洞孔４２
外ノッチ１１１
内ノッチ１１２
鞘孔１１３
凹槽１３１
鞘頭２１１
洞孔２１２
洞孔３１１
鞘頭３１２
楔形ノッチ３１３
【図１】
0003146821.tif 000003
【図２】
0003146821.tif 000004
【図３】
0003146821.tif 000005
【図４】
0003146821.tif 000006
【図５】
0003146821.tif 000007
【図６】
0003146821.tif 000008
【図７】
0003146821.tif 000009